(57)【要約】【課題】 キャップの装着状態を検知して、流体の漏れを未然に防止するフィルター装置を提供する。【解決手段】蓋体１０１を閉じたとき、蓋体１０１の背面に設けられた凸部１１０とキャップ３５の周縁部とが係合する。【選択図】      図７
2005279315.tif 000002
【特許請求の範囲】
【請求項１】
流体が流入する流入口と、前記流体が流出する流出口と、着脱可能なキャップが装着されるキャップ装着用開口部とが形成されたフィルターケースと、前記フィルターケースの内部に前記キャップ装着用開口部から着脱可能に配されるフィルター体とを備え、
前記キャップ装着用開口部に前記キャップを回転させて、適切な装着状態にすることで前記キャップ装着用開口部からの流体の漏れを防止するフィルター装置において、
前記キャップ装着用開口部の前方に位置する前方開口部と、前記前方開口部を開閉する蓋体とを備え、
前記キャップが前記キャップ装着用開口部に装着された状態で、前記蓋体が閉じられた場合に、前記キャップの周縁部に係合する凸部を前記蓋体の背面に設けたことを特徴とするフィルター装置。
【請求項２】
流体が流入する流入口と、前記流体が流出する流出口と、着脱可能なキャップが装着されるキャップ装着用開口部とが形成されたフィルターケースと、前記フィルターケースの内部に前記キャップ装着用開口部から着脱可能に配されるフィルター体とを備え、
前記キャップ装着用開口部に前記キャップを回転させて、適切な装着状態にすることで前記キャップ装着用開口部からの漏水を防止するフィルター装置において、
前記キャップ装着用開口部の前方に位置する前方開口部と、前記前方開口部を開閉する蓋体とを備え、
前記キャップが前記キャップ装着用開口部に装着された状態で、前記蓋体が閉じられた場合に、前記キャップの周縁部に係合する凸部を前記蓋体の背面に設けたことを特徴とするフィルター装置。
【請求項３】
前記蓋体は、その下端側で回動可能に軸支されており、
前記蓋体を開放して、前記キャップを取り外す際に、前記キャップ装着用開口部から前記蓋体の背面を伝って流体または水が流下することを特徴とする請求項１または２に記載のフィルター装置。
【請求項４】
前記凸部は、先端が鉤状に加工されたフックであることを特徴とする請求項１〜３のいずれかに記載のフィルター装置。
【請求項５】
前記フックが前記キャップの周縁部に係合することで前記蓋体は閉鎖状態を維持することを特徴とする請求項４に記載のフィルター装置。
【発明の詳細な説明】
【技術分野】
【０００１】
本発明は、フィルターケースのキャップとキャップの前方開口部を開閉する蓋体とを備えたフィルター装置に関する。
【背景技術】
【０００２】
図１７は、従来のフィルター装置を有するドラム式洗濯機を示す断面図である。ドラム式洗濯機は、底台４１上に外箱１が配され、外箱１の上面が天板４０で覆われている。外箱１は化粧鋼板を板金加工して形成されている。天板４０は圧縮ボード等から成り、外箱１にネジ止めされている。外箱１は前面が開閉扉３で開閉できるようになっている。外箱１の前面上部には操作キーを備えた操作パネル１１が設けられている。
【０００３】
外箱１内には前面に開口部４ａを有する有底筒状の水槽４が横設され、水槽４内には有底筒状のドラム５が配されている。水槽４には駆動機構９が一体化されている。ドラム５に固定される軸部５ｅは駆動機構９のベアリング６に回転自在に支持されており、駆動機構９によりドラム５を回転駆動できるようになっている。
【０００４】
ドラム５の周壁には小孔５ａが設けられている。小孔５ａは洗濯時に水槽４とドラム５との間を洗濯水が流出入できるようにしている。ドラム５の内壁面にはバッフル５ｂが突出して設けられ、ドラム５の回転により洗濯物を引っかけて持上げ、洗濯水中に落下させることにより洗浄が行われるようになっている。
【０００５】
外箱１の前面に設けた洗濯物投入口１ａと水槽４の開口部４ａの周縁にはゴムや軟質樹脂等の弾性体から成るパッキン１０が洗濯物を出し入れする通路を形成するように取り付けられている。開閉扉３には、ドラム５内を視認できるように透明の部材から成る窓部３ａが突設されている。
【０００６】
パッキン１０は開閉扉３を閉じたときに内周縁１０ａが窓部３ａの周縁に密着して通路を閉塞する構造になっている。これにより、洗濯動作中の防水が行われる。また、パッキン１０には蛇腹などが設けられ、水槽４の揺動に応じて撓みを生じて追従するようになっている。
【０００７】
外箱１内の上部には水道管に連通する給水パイプ１２が配されている。給水パイプ１２の途中に設けた給水弁１３を開くと、洗剤ケース１４を介してドアパッキン１０に取り付けられた給水ノズル１５から水槽４内に給水される。
【０００８】
水槽４の下部より導出された排水ダクト１６ａには、洗濯水を濾過するフィルター装置１７が接続され、排水ダクト１６ｂを介して排水ポンプ１８に連通している。排水ポンプ１８は外箱１の外側に立設される排水用パイプ３３に連結されている。モータ１８ｃの駆動によりポンプ室１８ａ内に配されるインペラ１８ｂを回転させて水槽４から流入する洗濯水を汲み上げて外部への排水を行う。
【０００９】
排水ポンプ１８は止水できないため、排水用パイプ３３は水槽４に供給される洗濯水の水位よりも上方まで立設されている。これにより、漏水を防止し、外部へ排水できるようになっている。
【００１０】
排水ダクト１６ａにはエアートラップ２２から導圧パイプ２１を介して水位センサー２３が設けられている。水位センサー２３は、エアートラップ２２内の圧力変化に応じて磁性体をコイル内で移動させる。その結果生じるコイルのインダクタンス変化を発振周波数の変化として検出し、水槽４内の水位を検知するようになっている。
【００１１】
フィルター装置１７は図１８、図１９の斜視図及び断面図に示すようになっている。また、図２０はフィルターケース３４の断面図である。筒状のフィルターケース３４の前部には、段差部３４ｄを有して拡径された拡径部４７が設けられている。拡径部４７にはネジ部３７が形成され、ネジ部３７によりキャップ３５が締着されてフィルターケース３４の前面が塞がれている。
【００１２】
キャップ３５には圧縮バネ４５を挟んでフィルター体３６が係合部３５ａ、３６ａの係合により一体化されている。把手部３５ｂを持ってキャップ３５を回転させることによりキャップ３５を脱着し、フィルターケース３４からフィルター体３６を取り出すことができるようになっている。
【００１３】
フィルター体３６は図２１に示すように構成されている。筒状のフィルター部５１には前面を閉塞する前面部４３が一体化されている。フィルター部５１は樹脂成形品から成り、開口部５１ａを有するように網状に形成されている。５２はフィルター部５１の強度を確保するリブである。またフィルター部５１は目の細かい繊維をリブ５２の周面に貼着して形成してもよい。
【００１４】
フィルター部５１の後方には、開口部５１ａが形成されずに周面が塞がれる筒状部５３が形成され、筒状部５３の端面には、開口部５４ａ（図１９参照）を有して径方向に突出する鍔部５４が形成されている。また、前面部４３にはゴム等の弾性体から成るパッキン４２が固着されている。
【００１５】
図１９において、フィルターケース３４の周面には洗濯水が流入する流入口３８が設けられ、後部には洗濯水が流出する流出口３９が設けらている。流入口３８の内径はフィルターケース３４の内径よりも小さくなっている。これにより、流入口３８を通過できる大きさの夾雑物はフィルターケース３４への入り口を閉塞することなくフィルターケース３４内に流入することができる。また、フィルターケース３４の鍔部５４は流出口３９に面して配され、開口部５４ａと流出口３９とは略同心状になっている。
【００１６】
キャップ３５をフィルターケース３４に締着すると、圧縮バネ４５及びフィルター体３６の前面部４３を介して段差部３４ｄの内壁面にパッキン４２が押しつけられる。これにより、フィルターケース３４が封止され、フィルターケース３４からの漏水を防止する。
【００１７】
段差部３４ｄの内壁面には軸方向に突出する環状の突起部４７ｂが形成されている。これにより、パッキン４２が局部的に圧接されるので漏水防止性能をより向上させることができる。
【００１８】
また同時に、圧縮バネ４５及びパッキン４２の弾性力によってフィルター体３６の鍔部５４が流出口３９の周囲に押しつけられる。これにより、鍔部５４とフィルターケース３４の後端面３４ａとは密接し、その間から夾雑物が流出できないようになっている。
【００１９】
排水ポンプ１８が駆動されると、流入口３８からフィルター装置１７に流入する洗濯水は、フィルター部５１により糸屑等の夾雑物が濾過される。そして、該洗濯水は、流出口３９から流出して排水ポンプ１８のポンプ室１８ａ（図１７参照）に導かれる。その後、排水用パイプ３３を介して夾雑物の除去された洗濯水が洗濯機の後部から排水されるようになっている。
【００２０】
このとき、筒状部５３は周面が塞がれているため、フィルター体３６から流出する洗濯水を筒状に整流し、排水ポンプ１８の排水効率を向上させるようになっている。また、フィルターケース３４内に残存する空気は通気孔４４から排気されるため、排水ポンプ１８のエア噛みを防止できる。通気口４４は、フィルターケース３４の上部に設けられ、ビニールチューブなどから成る中空管（不図示）により大気と連通して固定される。
【００２１】
これによると、洗濯水の流出口３９の周囲にフィルター体３６の鍔部５４を密接しているので、夾雑物を含んだ洗濯水が流出口３９から流出することがなくフィルター部５１により濾過された洗濯水のみが流出口３９から流出する。従って、排水ポンプ１８の故障を防止することができる。
【００２２】
また、鍔部５４はフィルターケース３４の内径と略同径に形成されている。この為、キャップ３５を取り外して軸方向にフィルター体３６を引き出すと鍔部５４がフィルターケース３４の内周壁３４ｂに摺動し、内周壁３４ｂに付着した付着物を除去することができる。これにより、フィルターケース３４内の清掃を簡単に行うことができ、内周壁３４ｂに付着した付着物によるフィルター装置１７の閉塞を簡単に防止することができる。
【００２３】
このとき、フィルターケース３４の内周壁３４ｂから除去された付着物やフィルター体３６により除去された夾雑物は、鍔部５４によりフィルターケース３４内の残存した洗濯水とともに掻き出される。拡径部４７の下部には更に拡径したガイド部４７ｃが形成されており、掻き出された洗濯水等はガイド部４７ｃによって狭い範囲に導かれて予め設置されるトレイＴに収容される。これにより、キャップ３５を開けたときに洗濯水等が散乱して床面等を汚すことを防止することができる。また、３４ｅ、３４ｆは、フィルターケース３４内に軸方向に突設した複数個のリブであり、フィルター体３６をフィルターケース３４と同軸に保持している。
【００２４】
図１８において、フィルターケース３４の前面の端面には軸方向前方に突出するストッパー３４ｃ、３４ｄが形成されている。キャップ３５には軸方向後方に突出する突起部３５ｃが形成されている。ストッパー３４ｄはストッパー３４ｃよりも若干低く形成されており、キャップ３５を締め付ける際に突起部３５ｃがストッパー３４ｄを乗り越えてストッパー３４ｃと当接することによってキャップ３５が係止される。
【００２５】
これにより、一定の位置までキャップ３５を締め付けることができ、締めつけすぎによるパッキン４２の損傷防止を図ることができるとともに、締め付け不足による漏水を防止できる。また、洗濯機の振動等によるキャップ３５のゆるみは、突起部３５ｃがストッパー３４ｄと当接することによって停止され、漏水を防止することができる。
【発明の開示】
【発明が解決しようとする課題】
【００２６】
しかしながら、この従来のフィルター装置の構成では、キャップ３５が充分にネジ込まれていなくても、見かけ上、キャップ３５が正しく装着されているようにみなせるため、そのままうっかり洗濯機の運転を開始してしまう恐れがある。この場合、パッキン４２が密着してないため、洗濯機の外部へ漏水を起こしてしまう。
【００２７】
このような不測の事態は、例えば、キャップ３５を装着した者と、洗濯機の使用者とが異なる場合に起こりやすい。
【００２８】
本発明は、上記従来の問題点に鑑みてなされたものであり、流体の漏れを未然に防止できるフィルター装置を提供することを目的とする。
【課題を解決するための手段】
【００２９】
上記目的を達成するために、本発明のフィルター装置は、流体が流入する流入口と、前記流体が流出する流出口と、着脱可能なキャップが装着されるキャップ装着用開口部とが形成されたフィルターケースと、前記フィルターケースの内部に前記キャップ装着用開口部から着脱可能に配されるフィルター体とを備え、前記キャップ装着用開口部に前記キャップを回転させて、適切な装着状態にすることで前記キャップ装着用開口部からの流体の漏れを防止するフィルター装置において、前記キャップ装着用開口部の前方に位置する前方開口部と、前記前方開口部を開閉する蓋体とを備え、前記キャップが前記キャップ装着用開口部に装着された状態で、前記蓋体が閉じられた場合に、前記キャップの周縁部に係合する凸部を前記蓋体の背面に設けた構成を特徴とする。
また、本発明のフィルター装置は、流体が流入する流入口と、前記流体が流出する流出口と、着脱可能なキャップが装着されるキャップ装着用開口部とが形成されたフィルターケースと、前記フィルターケースの内部に前記キャップ装着用開口部から着脱可能に配されるフィルター体とを備え、前記キャップ装着用開口部に前記キャップを回転させて、適切な装着状態にすることで前記キャップ装着用開口部からの漏水を防止するフィルター装置において、前記キャップ装着用開口部の前方に位置する前方開口部と、前記前方開口部を開閉する蓋体とを備え、前記キャップが前記キャップ装着用開口部に装着された状態で、前記蓋体が閉じられた場合に、前記キャップの周縁部に係合する凸部を前記蓋体の背面に設けたことを特徴とする。
また、上記構成のフィルター装置において、前記蓋体は、その下端側で回動可能に軸支されており、前記蓋体を開放して、前記キャップを取り外す際に、前記キャップ装着用開口部から前記蓋体の背面を伝って流体または水が流下する構成とするとよい。
【００３０】
また、上記構成のフィルター装置において、前記凸部を、先端が鉤状に加工されたフックとする構成とするとよい。
【００３１】
また、上記構成のフィルター装置において、前記フックが前記キャップの周縁部に係合することで前記蓋体は閉鎖状態を維持する構成とするとよい。
【発明の効果】
【００３２】
以上説明したように本発明のフィルター装置によると、蓋体が閉じられたとき、フィルターケースのキャップと蓋体とが係合する。
【００３３】
さらに、蓋体を開放して、前記キャップを取り外す際に、流体がこの蓋体の背面を伝うので、流下する流体または水を速やかに回収することができる。
【発明を実施するための最良の形態】
【００３４】
＜第１の実施形態＞本発明の第１の実施形態について図面を参照して説明する。説明の便宜上、従来例の図１７〜図２１と同一の部分については同一の符号を附している。図１は、本発明に係るフィルター装置を備えたドラム式洗濯機の外観斜視図である。図１において、１はドラム式洗濯機の本体、１０１は本体１の前面右下方に形成された開口部を開閉する蓋体である。
【００３５】
図２は、蓋体１０１周辺の斜視図であり、蓋体１０１を開放した状態を示している。蓋体１０１は下端で回動可能に軸支されており、該下端を中心に上端側が開閉されるようになっている。蓋体１０１の背面には、傾斜して伸びる１条のリブ１０２と、先端が鉤状に加工されたフック１０３とが突設されている。
【００３６】
また、図２中の破線矢印で示すように、リブ１０２は、水の流下方向に対して緩やかな傾斜を有するように配されている。そのため、蓋体１０１を開放してキャップ３５を取り外す際、蓋体１０１の背面を伝って流下する水は妨害されることなく、速やかにトレーＴ（図１７参照）内に回収されることになる。
【００３７】
図３は、フィルター装置１７の断面図である。キャップ３５の蓋体１０１側には、カップ状に陥没する陥没部３５１があって、その陥没した略円形の面の中心を通って直径方向に伸びて把持部３５ｂが突設されている。また、本体１の蓋体１０１のフック１０３に対応する部分には、フック１０３が挿通して係止される係止孔１０４が設けられている。
【００３８】
以下、キャップ３５を拡径部（キャップ装着用開口部）４７のネジ部３７に螺合し、把持部３５ｂの中心角θ（図４参照）が略９０°になったとき、突起部３５ｃ（図１８参照）がストッパー３４ｃ，３４ｄ（図１８参照）間に係止され、キャップ３５がパッキン４２を介してフィルターケース３４に適切に装着されるようになっているものとして説明する。
【００３９】
図４は、蓋体１０１周辺の正面図であり、蓋体１０１を閉じた状態を示している。把持部３５ｂの中心角θが略９０°の位置にあるとき、図２のＦの方向に蓋体１０１を閉じていくと、図３及び図４の破線に示すように、リブ１０２と把持部３５ｂが当接することなく、蓋体１０１を完全に閉じ切ることができる。同時に、フック１０３の先端鉤状部が係止孔１０４に係止されるため、蓋体１０１は容易に開かないようにロックされることになる。
【００４０】
このとき、突起部３５ｃとストッパー３４ｄとの当接によってにキャップ３５の時計方向の回転が阻止され、キャップ３５の更なる締め付けが防止されるとともに、把持部３５ｂとリブ１０２との当接によってキャップ３５の反時計方向の回転が阻止され、キャップ３５の緩みが防止される。
【００４１】
これに対し、把持部３５ｂの中心角θが９０°以外の位置にあるときは、蓋体１０１を閉じても、リブ１０２が把持部３５ｂに当接してしまい、蓋体１０１を閉じることができなくなる。従って、キャップ３５の装着が不十分であることが容易に検知されるため、使用者は把持部３５を回転して適切な位置にキャップ３５をセットしてから蓋体１０１を閉じることにより、洗濯時のフィルター装置１７からの漏水を未然に防止できる。
【００４２】
図５は、本実施形態の他の実施例を示すフィルター装置１７の断面図である。図３と同一の部材には同一の符号を附している。この実施例に特徴的な構成は、蓋体１０１を閉じたとき、フック１０３の先端によって接点１０７ａが押圧されてＯＮされる蓋開閉検知スイッチ１０７を設けたことである。
【００４３】
これによると、例えば、蓋開閉検知スイッチ１０７がＯＮされなければ、その旨を報知したり、洗濯機の運転を開始できないようにしたり、運転中、万一蓋体１０１が開いて蓋開閉検知スイッチ１０７がＯＦＦになった場合、洗濯機の動作を一時的に緊急停止させるような制御が行え、安全性が向上するとともに、いっそう確実に漏水を防止できるようになる。この場合は、リブ１０２がなくても同様の効果が得られる。
【００４４】
図６は、本実施形態の更に他の実施例を示すフィルター装置１７の断面図である。図３と同一の部材には同一の符号を附している。この実施例に特徴的な点は、キャップ３５の周縁部の一箇所に内接して磁性材料から成る磁気片１０９を配設するとともに、フィルターケース３４の開拡部４７の外周面の一箇所にリードスイッチ１０８を配設し、キャップ３５の装着状態が適切である（把持部３５ｂの中心角θ（図４参照）が略９０°の位置にある）とき、前記磁気片１０９と前記リードスイッチ１０８とが対向することにより前記リードスイッチ１０８がＯＮされるようにしたことである。
【００４５】
これによると、例えば、リードスイッチ１０８がＯＮされなければ、洗濯機の運転を開始できないような制御が行え、安全性が向上するとともに、洗濯時の漏水を確実に防止できるようになる。この場合は、リブ１０２がなくても同様の効果が得られる。
【００４６】
＜第２の実施形態＞本発明の第２の実施形態について図面を参照して説明する。図７は本実施態に係るフィルター装置１７の蓋体１０１周辺の部分断面図であり、図８はそのＡの方向から見た矢視正面図である。図１〜図４の第１の実施形態と同一の部材には同一の符号を附している。
【００４７】
本実施形態に特徴的な構成は、図７に示すように、蓋体１０１の背面のフック１０３側に凸部１１０を設けるとともに、図８に示すように、キャップ３５の周縁部に凸部１１０が係合される凹部３５ｆを設けたことである。尚、ここでは、凹部３５ｆは、把持部３５ｂの延長線上にあるものとし、凸部１１０は、キャップ３５が適切な位置に装着される時に、前記凹部３５ｆに係合する位置にあるものとする。
【００４８】
この構成において、キャップ３５を図８（ａ）のように時計方向に回転してネジ込んでいくと、ストッパー３４ｃ，３４ｄ（図１８参照）によってキャップ３５の回転が規制され、図８（ｂ）のように、把持部３５ｂの中心角θ（図４参照）が略９０°になる位置でキャップ３５の回転は静止される。このとき、凹部３５ｆはキャップ３５の上端に位置しているため、蓋体１０１を図７のＦの方向に閉じると、凸部１１０が凹部３５ｆに嵌合されることになる。
【００４９】
これによると、蓋体１０１を閉じる際、リブ１０２と把持部３５ｂとの当接の回避、凸部１１０と凹部３５ｆとの嵌合、並びにフック１０３の係止孔１０４への係止によって、キャップ３５が適切な装着状態にあるときにのみ、蓋体１０１を確実に閉じることができるとともに、蓋体１０１を閉じた後のキャップ３５の緩みが防止される。従って、洗濯時の漏水を未然に防止できる。この場合は、リブ１０２がなくても同様の効果が得られる。
【００５０】
＜第３の実施形態＞本発明の第３の実施形態について図面を参照して説明する。図９は本実施態に係るフィルター装置１７の蓋体１０１周辺の部分断面図であり、図１０はそのＢの方向から見た矢視正面図である。図１〜図４の第１の実施形態と同一の部材には同一の符号を附している。
【００５１】
本実施形態に特徴的な構成は、図９及び図１０に示すように、キャップ３５の周縁部に上記と同様の凹部３５ｆを設けるとともに、キャップ３５の周縁部によって一部が塞がれる係止孔１０４を設けたことである。尚、ここでは、凹部３５ｆは、把持部３５ｂの延長線上にあるものとし、凸部１０１は、キャップ３５が適切な位置に装着される時に、前記凹部３５ｆに係合する位置にあるものとする。
【００５２】
この構成において、キャップ３５を図１０（ａ）のように時計方向に回転してネジ込んでいくと、ストッパー３４ｃ，３４ｄ（図１８参照）によってキャップ３５の回転が規制され、図１０（ｂ）のように、把持部３５ｂの中心角θ（図４参照）が略９０°になる位置でキャップ３５の回転は静止される。このとき、凹部３５ｆはキャップ３５の上端に位置しているため、凹部３５ｆと係止孔１０４とが合致して係止孔１０４が全開に開放される。
【００５３】
これによると、蓋体１０１を閉じる際、リブ１０２と把持部３５ｂとの当接が回避されるとともに、フック１０３が係止孔１０４に係止されることによって、キャップ３５が適切な装着状態にあるときにのみ、蓋体１０１を確実に閉じることができる。従って、洗濯時の漏水を未然に防止できる。この場合は、リブ１０２がなくても同様の効果が得られる。
【００５４】
＜第４の実施形態＞本発明の第４の実施形態について図面を参照して説明する。図１１は本実施態に係るフィルター装置１７の蓋体１０１周辺の部分断面図であり、図１２はそのＣの方向から見た矢視正面図である。図１〜図４の第１の実施形態と同一の部材には同一の符号を附している。
【００５５】
本実施形態に特徴的な構成は、図１１及び図１２に示すように、キャップ３５の周縁部から径方向に突出する突起部３５ｇを設けるとともに、本体１の係止孔１０４の上方に回動軸１０６によって回動可能に取り付けられバネ１１１によって係止孔１０４の一部を塞ぐ方向に付勢された移動子１０５を設けたことである。尚、ここでは、突起部３５ｇは、把持部３５ｂの延長線上にあるものとし、係止孔１０４は、キャップ３５が適切な位置に装着される時に、前記突起部３５ｇによって開放される位置にあるものとする。
【００５６】
この構成において、キャップ３５を図１２（ａ）のように時計方向に回転してネジ込んでいくと、ストッパー３４ｃ，３４ｄ（図１８参照）によってキャップ３５の回転が規制され、図１２（ｂ）のように、把持部３５ｂの中心角θ（図４参照）が略９０°になる位置でキャップ３５の回転は静止される。このとき、突起部３５ｇが移動子１０５を押動することにより、移動子１０５はバネ１１１の付勢に抗して反時計回りに回動して、係止孔１０４が全開に開放される。
【００５７】
これによると、蓋体１０１を閉じる際、リブ１０２と把持部３５ｂとの当接が回避されるとともに、フック１０３が係止孔１０４に係止されることによって、キャップ３５が適切な装着状態にあるときにのみ、蓋体１０１を確実に閉じることができる。従って、洗濯時の漏水を未然に防止できる。この場合は、リブ１０２がなくても同様の効果が得られる。
【００５８】
＜第５の実施形態＞本発明の第５の実施形態について図面を参照して説明する。図１３は本実施形態に係るフィルター装置１７の蓋体１０１周辺の部分断面図であり、図１４はそのＣの方向から見た矢視正面図である。図１〜図４の第１の実施形態と同一の部材には同一の符号を附している。
【００５９】
本実施形態に特徴的な構成は、図１３及び図１４に示すように、キャップ３５の周縁部に凹部３５ｅを設けるとともに、蓋体１０１の背面にフック１０３（図３参照）に替えて磁石体２０１を設け、また、本体１の磁石体２０１に対応する位置に係止孔１０４（図３参照）に替えてキャップ３５の周縁部によって一部が覆い隠される金属片２０２を設けたことである。尚、ここでは、凹部３５ｅは、把持部３５ｂの延長線上にあるものとし、金属片２０２は、キャップ３５が適切な位置に装着される時に、前記凹部３５ｅによって露出される位置にあるものとする。
【００６０】
この構成において、キャップ３５を図１４（ａ）のように時計方向に回転してネジ込んでいくと、ストッパー３４ｃ，３４ｄ（図１８参照）によってキャップ３５の回転が規制され、図１４（ｂ）のように、把持部３５ｂの中心角θ（図４参照）が略９０°になる位置でキャップ３５の回転は静止される。このとき、凹部３５ｅはキャップ３５の上端に位置しているため、凹部３５ｅと金属片２０２とが合致して金属片２０２が全面露出される。
【００６１】
これによると、蓋体１０１を閉じる際、リブ１０２と把持部３５ｂとの当接が回避されるとともに、磁石体２０１が金属片２０２に吸着されることによって、キャップ３５が適切な装着状態にあるときにのみ、蓋体１０１を確実に閉じることができる。従って、洗濯時の漏水を未然に防止できる。この場合は、リブ１０２がなくても同様の効果が得られる。
【００６２】
＜第６の実施形態＞本発明の第６の実施形態について図面を参照して説明する。図１５は、本実施形態に係るフィルター装置１７のフィルターケース３４の断面図であり、図１６はフィルター体３６及びキャップ３５の斜視図である。
【００６３】
キャップ３５は、開拡部４７のネジ部３７に螺合されるが キャップ３５のネジ込みの回数が多いと、幾度も把持部３５ｂの中心角θ（図４参照）が略９０°の位置になることになり、ネジ込み不足であるにも関わらず、キャップ３５が正しく装着されたものとみなして、蓋体１０１を閉じてしまう恐れがある。この場合、パッキン４２の圧着が不十分なため、洗濯時に漏水を起こしてしまう。
【００６４】
そこで、本実施形態では、図１５に示すように、フィルターケース３４のネジ部３７の溝を部分的に欠落させ、円周方向の長さがＬ１に選ばれた欠落部３７ａを設けるとともに、図１６に示すように、キャップ３５側のネジ部３５ｎを前記Ｌ１よりも短い寸法Ｌ２で形成する。尚、対応する一対の欠落部３７ａ及びネジ部３５ｎは、所定の間隔で複数箇所に設けられている。
【００６５】
これによると、キャップ３５を拡径部４７のネジ部３７に螺合する際、ネジ部３５ｎを欠落部３７ａに挿入して回転させることにより、キャップ３５を１回転以内で適切な位置に装着できる。従って、幾度も把持部３５ｂの中心角θが略９０°の位置になることもなく、キャップ３５の装着が容易、かつ、確実に行えるとともに、洗濯時の漏水を未然に防止できる。
【００６６】
以上、本発明の各種実施形態につき説明したが、これまでに示してきたものは発明の構成の例示であり、本発明の範囲はこれに限定されるものではなく、発明の趣旨を逸脱しない範囲で更に種々の変更を加えて実施することができる。
【図面の簡単な説明】
【００６７】
【図１】本発明に係るフィルター装置を備えたドラム式洗濯機の外観斜視図である。
【図２】本発明の第１の実施形態に係るフィルター装置を備えたドラム式洗濯機の蓋体周辺の斜視図であり、蓋体を開放した状態を示している。
【図３】そのフィルター装置の断面図である。
【図４】そのドラム式洗濯機の蓋体周辺の正面図であり、蓋体を閉じた状態を示している。
【図５】そのフィルタ装置の他の実施例の断面図である。
【図６】そのフィルタ装置の更に他の実施例の断面図である。
【図７】本発明の第２の実施形態に係るフィルター装置の蓋体周辺の部分断面図である。
【図８】図８のＡ方向からの矢視図である。
【図９】本発明の第３の実施形態に係るフィルター装置の蓋体周辺の部分断面図である。
【図１０】図９のＢ方向からの矢視図である。
【図１１】本発明の第４の実施形態に係るフィルター装置の蓋体周辺の部分断面図である。
【図１２】図１１のＣ方向からの矢視図である。
【図１３】本発明の第５の実施形態に係るフィルター装置の蓋体周辺の部分断面図である。
【図１４】図１３のＤ方向からの矢視図である。
【図１５】本発明の第６の実施形態に係るフィルター装置のフィルターケースを示す断面図である。
【図１６】そのフィルター装置のフィルター体及びキャップを示す斜視図である。
【図１７】従来のフィルター装置を有するドラム式洗濯機を示す断面図である。
【図１８】そのフィルタ装置を示す斜視図である。
【図１９】そのフィルタ装置を示す断面図である。
【図２０】そのフィルタ装置のフィルターケースを示す断面図である。
【図２１】そのフィルター装置のフィルター体及びキャップを示す斜視図である。
【符号の説明】
【００６８】
１ 外箱
３ 開閉扉
４ 水槽
５ ドラム
９ 駆動装置
１６ａ、１６ｂ 排水ダクト
１７ フィルター装置
１８ 排水ポンプ
１８ａ ポンプ室
１８ｂ インペラ
１８ｃ モータ
１９ ポンプ装置
３３ 排水用パイプ
３４ フィルターケース
３５ キャップ
３５ｂ 把持部
３５ｅ，３５ｆ 凹部
３６ フィルター体
３８ 流入口
３９ 流出口
４２ パッキン
４４ 通気孔
４５ 圧縮バネ
４７ 拡径部
４７ａ 内壁
４７ｂ 突起部
５１ フィルター部
５３ 筒状部
５４ 鍔部
１０１ 蓋体
１０２ リブ
１０３ フック
１０４ 係止孔
１０５ 移動子
１０８ リードスイッチ
１０９ 磁気片
１１０ 凸部
２０１ 磁石体
２０２ 金属片
【図１】
2005279315.tif 000003
【図２】
2005279315.tif 000004
【図３】
2005279315.tif 000005
【図４】
2005279315.tif 000006
【図５】
2005279315.tif 000007
【図６】
2005279315.tif 000008
【図７】
2005279315.tif 000009
【図８】
2005279315.tif 000010
【図９】
2005279315.tif 000011
【図１０】
2005279315.tif 000012
【図１１】
2005279315.tif 000013
【図１２】
2005279315.tif 000014
【図１３】
2005279315.tif 000015
【図１４】
2005279315.tif 000016
【図１５】
2005279315.tif 000017
【図１６】
2005279315.tif 000018
【図１７】
2005279315.tif 000019
【図１８】
2005279315.tif 000020
【図１９】
2005279315.tif 000021
【図２０】
2005279315.tif 000022
【図２１】
2005279315.tif 000023